(57)【要約】【課題】くわえ側万力と印刷版の間隔によって生じる印刷版のたわみを除去し、良好な初期見当が得られるオフセット輪転印刷機における版掛け方法を提供する。【解決手段】オフセット輪転印刷機における版掛け方法において、版胴に設けられたくわえ側万力に印刷版を挿入した際に生じる該万力と印刷版の間隔にスペーサーを挿入し、間隔で生じる該印刷版のたわみを除去し、良好な初期見当の得られることを特徴とするオフセット輪転印刷機における版掛け方法。スペーサーの形状が、ｄ型、Ｎ型、Ｕ型、Ｖ型から選ばれるスペーサーであることを特徴とする。【選択図】  図１
2005074670.tif 000002
【特許請求の範囲】
【請求項１】
オフセット輪転印刷機における版掛け方法において、版胴に設けられたくわえ側万力に印刷版を挿入した際に生じる該万力と印刷版の間隔にスペーサーを挿入し、間隔で生じる該印刷版のたわみを除去し、良好な初期見当の得られることを特徴とするオフセット輪転印刷機における版掛け方法。
【請求項２】
スペーサーの形状が、ｄ型、Ｎ型、Ｕ型、Ｖ型から選ばれるスペーサーであることを特徴とする請求項１記載のオフセット輪転印刷機における版掛け方法。
【請求項３】
オフセット輪転印刷機における版掛け方法において、印刷版くわえ側の形状をｄ型、Ｎ型、Ｕ型、Ｖ型から選ばれる形状に加工することにより、くわえ側万力と印刷版の間隔によって生じる印刷版のたわみを除去し、良好な初期見当が得られることを特徴とするオフセット輪転印刷機における版掛け方法。
【発明の詳細な説明】
【技術分野】
【０００１】
本発明は、オフセット輪転印刷機における版掛け方法に関するものであり、さらに詳しくは印刷版のたわみを除去して良好な初期見当が得られるオフセット輪転印刷機における版掛け方法に関するものである。
【背景技術】
【０００２】
枚葉紙に印刷をするオフセット輪転印刷機では、”フレキシブルベース版”と呼ばれる印刷版を使用し印刷を行うことがある。該印刷版の特徴は、印刷版のベースに紙またはフィルムなどを適用していることにあり、従来より使用されているアルミベース版と比べて価格が安価であることや、アナログ製版により作成されるアルミベース版よりも少ない工程で印刷版の作成が可能であり、小ロット短納期の印刷に向いていることから、主に軽印刷において広く使用されている。
【０００３】
また現在では、印刷材料費をコストダウンすること、増加している小ロット短納期の作業に対応することを目的に、高級カラー印刷においてもフレキシブルベース版が使用されている。
【０００４】
しかしながら、フレキシブルベース版は紙、フィルムなど腰の柔らかい材料をベースに適用しているため、初期見当において部分的な歪みが発生するなど、腰の硬い材料をベースに適用しているアルミベース版では見られない特有の問題を発生させる場合がある。
【０００５】
オフセット輪転印刷機における版掛け方法と共に、フレキシブルベース版の初期見当で部分的な歪みが発生する機構を図を用いて説明する。
【０００６】
図６は、版胴に印刷版を装着した態様を示す斜視図である。オフセット輪転印刷機における版掛けは、印刷版８を版胴９に設けられているくわえ側万力１０に挿入した後、くわえ側万力を閉め印刷版のくわえ側を固定する。次に、印刷版を版胴の円周に沿って巻き付け、印刷版を版胴に設けられているくわえ尻側万力１１に挿入した後、くわえ尻側万力を閉め印刷版のくわえ尻側を固定する、という手順で行われる。
【０００７】
なお、図７のくわえ側万力の断面図に示すように、くわえ側万力２には印刷版を挿入させるために設けられている間隔Ｘがある。該間隔は、印刷版３を挿入した後に版胴方向（矢印で図示）に閉められることにより、印刷版が固定される。
【０００８】
このくわえ側万力２の間隔Ｘに印刷版３を挿入し固定するさいに、アルミベース版の場合は腰の硬い材料をベース適用しているため、図示した印刷版３のように該間隔でたわみが発生することは殆ど無い。従って、版掛けのさいには、図８のくわえ側万力付近の印刷版の断面図に示すように、版胴９の幅方向に対して印刷版のくわえ側１２が平行に近づきやすくなるため、図９の印刷用紙１３に印刷された印刷画像１４に示すように良好な初期見当を得ることが出来る。
【０００９】
一方、フレキシブルベース版の場合は、腰の柔らかい材料をベースに適用しているため、図１０のくわえ側万力の断面図に示すように、印刷版１５は間隔Ｘでたわみが発生しやすい。従って、版掛けのさいには、図１１のくわえ側万力付近の印刷版の断面図に示すように、版胴９の幅方向に対して印刷版１６のくわえ側がたわみやすくなるため、図１２の印刷用紙１３に印刷された印刷画像１７に示すような部分的な歪みが発生した初期見当になりやすい。
【００１０】
従来より、この印刷版のたわみに起因する、初期見当の部分的な歪みを防止するため、版掛けのさいには圧着ロールにより印刷版を版胴方向に押さえるなどの対策が採用されてきた（例えば、特許文献１参照。）。
【００１１】
しかしながら、初期見当の部分的な歪みをより効果的に防止するためには、圧着ロールにより印刷版を版胴方向に押さえるのではなく、くわえ側万力と印刷版の間隔を無くし、該間隔で生じる印刷版のたわみを除去できる版掛け方法が有効と思われるのだが、今まではそのような版掛け方法が無かった。
【特許文献１】特開平７−３０４１６０号公報
【発明の開示】
【発明が解決しようとする課題】
【００１２】
本発明の目的は、上記の問題を解決することにあり、くわえ側万力と印刷版の間隔によって生じる印刷版のたわみを除去し、良好な初期見当が得られるオフセット輪転印刷機における版掛け方法を提供するものである。
【課題を解決するための手段】
【００１３】
本発明者は上記に鑑み鋭意研究した結果、本発明のオフセット輪転印刷機における版掛け方法を発明するに至った。
【００１４】
すなわち、本発明のオフセット輪転印刷機における版掛け方法は、版胴に設けられたくわえ側万力に印刷版を挿入した際に生じる該万力と印刷版の間隔にスペーサーを挿入し、間隔で生じる該印刷版のたわみを除去し、良好な初期見当の得られることを特徴とするものである。
【００１５】
本発明において、スペーサーの形状として、ｄ型、Ｎ型、Ｕ型、Ｖ型から選ばれるスペーサーであることを特徴とする。
【００１６】
また、本発明のオフセット輪転印刷機における版掛け方法は、印刷版くわえ側の形状をｄ型、Ｎ型、Ｕ型、Ｖ型から選ばれる形状に加工することにより、くわえ側万力と印刷版の間隔によって生じる印刷版のたわみを除去し、良好な初期見当が得られることを特徴とするものである。
【発明の効果】
【００１７】
以上説明したように、本発明におけるくわえ側万力と印刷版の間隔によって生じる印刷版のたわみを除去する方法により、フレキシブルベース版において発生する初期見当の部分的な歪みを、より効果的に防止できるようになった。
【発明を実施するための最良の形態】
【００１８】
以下、本発明のオフセット輪転印刷機における版掛け方法について、図面を用いて詳細に説明する。
【００１９】
図１は、本発明のくわえ側万力と印刷版の間隔にスペーサーを挿入した一実施態様を示す断面図である。くわえ側万力２の間隔Ｘにｄ型スペーサー１が挿入されていることにより、該万力と印刷版３の隙間が無くなると共に、該スペーサーにより版胴方向へ圧力が加えられるため、印刷版３は版胴側へ密着している。
【００２０】
上記の状態であれば、腰の柔らかい材料をベースに適用しているフレキシブルベース版においても間隔Ｘで発生するたわみが除去されるため、図８のくわえ側万力付近の印刷版の断面図に示すように、版胴９の幅方向に対して印刷版のくわえ側１２が平行に近づきやすくなるため、図９の印刷用紙１３に印刷された印刷画像１４に示すように良好な初期見当を得ることが出来る。
【００２１】
なお、オフセット輪転印刷機の仕様によって、図１に示すくわえ側万力２の間隔Ｘの幅が異なる場合があるため、スペーサーの形状は適宜選択することが好ましい。例えば、該間隔が広い場合には、たわみを除去するために版胴方向へ強い圧力を必要とするため、比較的強い圧力を発生させる図１に示すｄ型スペーサー１や、図２に示すＮ型スペーサー４などが適している。
【００２２】
一方、間隔が狭い場合には、たわみを除去するための版胴方向への圧力は弱くて良いため、比較的弱い圧力を発生させる図３に示すＵ型スペーサー５や、図４に示すＶ型スペーサー６などが適している。
【００２３】
また、オフセット輪転印刷機の仕様によって、図１に示すくわえ側万力２における印刷版を挿入させるために設けられている深さＹが異なる場合があるため、スペーサーの長さは適宜調整することが好ましい。また、該くわえ側万力の深さが浅く、版掛けのさいにスペーサーが脱落することが懸念される場合は、印刷版に直接スペーサーを貼り付ける態様も好ましい。
【００２４】
さらに、オフセット輪転印刷機は、くわえ側万力２に適した印刷版の厚みが規定されており、例えば０．２４ｍｍ用、０．３０ｍｍ用、０．２４ｍｍ及び０．３０ｍｍ兼用などが一般的である。従って、スペーサーの厚みについては、該くわえ側万力の印刷板の規定厚から実際に使用される印刷版３の厚みを除した値を参考にするなど、印刷機の仕様にあった厚みを選択することが好ましい。
【００２５】
また、スペーサーを挿入することにより、くわえ側万力２における印刷板の規定厚から若干量オーバーする場合も考えられるため、スペーサーの材質については、例えばフィルムや紙など、クッション性のある比較的柔らかい材質を選択することが好ましい。
【００２６】
図５は、本発明の印刷版くわえ側の形状を加工した一実施態様を示す断面図である。くわえ側万力２の間隔Ｘにｄ型に加工された印刷版７が挿入されていることにより、該万力と印刷版の隙間が無くなると共に版胴方向へ圧力が加えられるため、該印刷版は版胴側へ密着している。
【００２７】
上記の状態であれば、腰の柔らかい材料をベースに適用しているフレキシブルベース版においても間隔Ｘで発生するたわみが除去されるため、図８のくわえ側万力付近の印刷版の断面図に示すように、版胴９の幅方向に対して印刷版のくわえ側１２が平行に近づきやすくなるため、図９の印刷用紙１３に印刷された印刷画像１４に示すように良好な初期見当を得ることが出来る。
【００２８】
なお、オフセット輪転印刷機の仕様によって、図５に示すくわえ側万力２の間隔Ｘの幅や、深さＹは異なるため、印刷版７の加工部の形状（ｄ型以外は図示していない）、長さは、前記スペーサーと同様に適宜調整することが好ましい。
【００２９】
さらに、オフセット輪転印刷機の仕様によって、くわえ側万力２に適した印刷板の規定厚は異なるため、前記スペーサーと同様に印刷版７の厚みは印刷機の仕様にあった厚みを選択することが好ましい。
【００３０】
また、印刷版７の厚みによっては、くわえ側万力２における印刷板の規定厚から若干量オーバーする場合も考えられるが、フレキシブルベース版は紙、フィルムなどクッション性のある比較的柔らかい材質をベースに適用しているため、規定厚から若干量のオーバーであれば特に問題無い。但し、印刷板の規定厚から相当量オーバーする場合には、該印刷版の加工部のみ版厚を調整加工することが好ましい。
【産業上の利用可能性】
【００３１】
本発明は、オフセット輪転印刷機におけるフレキシブルベース版の版掛けに適用できるものである。
【図面の簡単な説明】
【００３２】
【図１】本発明のくわえ側万力と印刷版の間隔にスペーサーを挿入した一実施態様を示す断面図である。
【図２】本発明のくわえ側万力と印刷版の間隔にスペーサーを挿入した一実施態様を示す断面図である。
【図３】本発明のくわえ側万力と印刷版の間隔にスペーサーを挿入した一実施態様を示す断面図である。
【図４】本発明のくわえ側万力と印刷版の間隔にスペーサーを挿入した一実施態様を示す断面図である。
【図５】本発明の印刷版くわえ側の形状を加工した一実施態様を示す断面図である。
【図６】版胴に印刷版を装着した態様を示す斜視図である。
【図７】版胴に設けられたくわえ側万力の断面図である。
【図８】くわえ側万力付近の印刷版の断面図である。
【図９】良好な初期見当が得られた印刷画像を示す平面図である。
【図１０】版胴に設けられたくわえ側万力の断面図である。
【図１１】くわえ側万力付近の印刷版の断面図である。
【図１２】部分的な歪みが発生した初期見当の印刷画像を示す平面図である。
【符号の説明】
【００３３】
１  ｄ型スペーサー
２  くわえ側万力の断面
３  印刷版
４  Ｎ型スペーサー
５  Ｕ型スペーサー
６  Ｖ型スペーサー
７  くわえ側の形状をｄ型に加工された印刷版
８  版胴に巻き付けられた印刷版
９  版胴
１０  くわえ側万力の全体
１１  くわえ尻側万力の全体
１２、１６  印刷版のくわえ側断面
１３  印刷用紙
１４  良好な初期見当が得られた印刷画像
１５  たわみが発生した印刷版
１７  部分的な歪みが発生した初期見当の印刷画像
Ｘ  くわえ側万力における印刷版を挿入させるために設けられている間隔
Ｙ  くわえ側万力における印刷版を挿入させるために設けられている深さ
【図１】
2005074670.tif 000003
【図２】
2005074670.tif 000004
【図３】
2005074670.tif 000005
【図４】
2005074670.tif 000006
【図５】
2005074670.tif 000007
【図６】
2005074670.tif 000008
【図７】
2005074670.tif 000009
【図８】
2005074670.tif 000010
【図９】
2005074670.tif 000011
【図１０】
2005074670.tif 000012
【図１１】
2005074670.tif 000013
【図１２】
2005074670.tif 000014